(57)【特許請求の範囲】
【請求項１】
正四角ないし長四角形状をなす器具本体と；
この器具本体の内面側の端部近傍に設けられたランプ支持部材と；
このランプ支持部材に支持された片口金形のランプと；
上記器具本体の内面側を覆う容器状をなし、開口部の対向辺を内方側に折り曲げ器具本体の端部外面側に重合係止する折曲部を有するとともに、各折曲部の中間に形成され上記ランプ支持部材と接触するのを避けるための逃部である切欠部が形成された制光体と；
を具備したことを特徴とする照明器具。
【請求項２】
正四角ないし長四角形状をなす器具本体と；
この器具本体の内面側の端部近傍に設けられたランプ支持部材と；
このランプ支持部材に支持された片口金形のランプと；
上記器具本体の内面側を覆う容器状をなし、開口部の対向辺を内方側に折り曲げ器具本体の端部外面側に重合係止する折曲部を有するとともに、各折曲部の中間に形成され上記ランプ支持部材と接触するのを避けるための逃部である切欠部が形成された制光体と；
この制光体側面の透孔を貫通して制光体をランプ支持部材に固定するねじと；
を具備したことを特徴とする照明器具。
【請求項３】
器具本体は、偏平なひし形をした複数個の線状部材用孔が形成されているとともにこれら線状部材用孔内を挿通してこの孔に係止されたワッシャおよびこのワッシャの中央孔内を挿通してこの孔に係止されたチップならびにこのチップ部の挿通孔内を挿通して係止されたワイヤーとからなる吊下具を有していることを特徴とする請求項１または２に記載の照明器具。
【発明の詳細な説明】
【０００１】
【発明の属する技術分野】
本発明は天井などに直接あるいは吊下具を介して設置されるグローブやセードなどの透光性の制光体を有する照明器具に関する。
【０００２】
【従来の技術】
照明器具としてはランプからの直射光や反射鏡からの反射光を直接に放射するものとこれらの直射光や反射光をグローブやセードなどで拡散や集光など配光を制御したりあるいはランプを保護するため光放射部に透光性の制光体を備えたものがある。
【０００３】
これら照明器具で、グローブやセードなどの制光体を備えたものは、器具本体に制光体を係止する手段として、たとえば実公昭６２−２００９３号公報に示されるような構成が採られている。この公報に記載された照明器具Ａは図１１に示すように（左右同形であるので一方側のみ示す。）、矩形枠状をなす金属製のシャーシ（器具本体）ｂの対向する端面に略Ｕ字状や略Ｗ字状の屈曲した受部ｃを有するとともに直管形の蛍光ランプｄを接続支持するソケットｅが取着された取付金具ｆが設けてある。そして、容器状をなすセード（制光体）ｇの対向する開口部端面に略逆Ｕ字状の屈曲した係正金具ｈを同様に設け、シャーシ（器具本体）ｂの取付金具ｆにセード（制光体）ｇの係正金具ｈを引っ掛けることにより両者を一体化した構成としてある。
【０００４】
そして、上記器具Ａにおいてセード（制光体）ｇのシャーシ（器具本体）ｂへの取り付けは、セード（制光体）ｇを傾け支持して一方の係正金具ｈをシャーシ（器具本体）ｂの一方の取付金具ｆに引っ掛ける。そして、セード（制光体）ｇをこの一方の側より反対側の他方側へと引っ張り移動させるとともに他方側を上方に引上げ、ついで、セード（制光体）ｇを水平方向に元の位置へと引き戻し下方に下げることによって図示しない他方側の取付金具ｆの受部ｃ内に他方側の係正金具ｈが入り安定した係止ができる。また、セード（制光体）ｇの取り外しは上記と逆の操作により行うことができる。
【０００５】
しかし、照明器具は一般的には天井面や梁など高所に設置されることが多く、上記のような構成の場合、シャーシ（器具本体）ｂ側の取付金具ｆにセード（制光体）ｇ側の係正金具ｈを引っ掛ける作業がやり難いという問題があり、また、取付金具ｆにセード（制光体）ｇの係正金具ｈを受入れる突出した略Ｕ字状の受部ｃが必要であった。
【０００６】
そこで、図１２に示すような係止がなされた器具Ｊもある。この器具Ｊは、一方の取付金具ｆ１にピンｋを他方側の取付金具ｆ２にねじ孔（図示しない。）有し、また、セード（制光体）ｇの対向する側面にはそれぞれ透孔ｎ１、ｎ２が設けられている。そして、セード（制光体）ｇの一方の側面に形成した透孔ｎ１が一方の取付金具ｆ１に設けたピンｋに挿入されるとともに他方側の取付金具ｆ２に他方の側面の透孔ｎ２が合致されねじｐにより固定される構造となっている。
この図１２に示す器具Ｊは、係止部が簡易化された構成となるが、セード（制光体）ｇの取り付け作業時に、セード（制光体）ｇの透孔ｎ１を取付金具ｆ１のピンｋに合致させ難かったり、他方側のねじｐを挿入するときの位置決めガイドがないなど作業に手間がかかり作業性が悪かった。また、シャーシ（器具本体）ｂに対しセード（制光体）ｇがピンｋやねじｐによる支持や固定のため安定が悪いという問題があった。
【０００７】
【発明が解決しようとする課題】
本発明は片口金形のランプを内装したグローブやセードなどの制光体を支持固定する構造が簡単で安定性も高く、しかも着脱が容易な照明器具を提供することを目的とする。
【０００８】
【課題を解決するための手段】
本発明の請求項１に記載の照明器具は、正四角ないし長四角形状をなす器具本体と、この器具本体の内面側の端部近傍に設けられたランプ支持部材と、このランプ支持部材に支持された片口金形のランプと、上記器具本体の内面側を覆う容器状をなし、開口部の対向辺を内方側に折り曲げ器具本体の端部外面側に重合係止する折曲部を有するとともに、各折曲部の中間に形成され上記ランプ支持部材と接触するのを避けるための逃部である切欠部が形成された制光体とを具備したことを特徴とする。
【０００９】
制光体は、側板上部の折曲部が器具本体両端部の上面側に重合載置して係止することにより器具本体に支持されている。この制光体の取り付けに際し、四角形や矩形形状の器具本体の端部上面に、セードなどの制光体の両端部上面に形成した折曲部を載せ引っ掛けて係止させればよいので構成が簡単であるとともに作業がやり易くなる。
側板などの折曲部の中間に形成した切欠部は、折曲部が器具本体に設けたランプ支持部材などと接触するのを防ぐ逃部として作用する。
なお、合成樹脂製などの制光体においては、容器状をなす制光体の対向する先端部を加熱などにより軟化して内方に折曲げ折曲部を形成することができる。そして、この折曲部を係止用として使うことができ、別体の折曲部が不要となる。
制光体としては光放射を制御する透光性のグローブやセードなどがあり、材質、肉厚、透明度や屈折率などを調整して所望の光放射分布をなすものが得られる。また、本発明でいうグローブの範疇には、内部のランプを外力や雰囲気から護る透光性保護カバーからなるグローブも含むものである。また、制光体の形成材料は合成樹脂やガラスなどを用いることができる。
【００１０】
本発明の請求項２に記載の照明器具は、正四角ないし長四角形状をなす器具本体と、この器具本体の内面側の端部近傍に設けられたランプ支持部材と、このランプ支持部材に支持された片口金形のランプと、上記器具本体の内面側を覆う容器状をなし、開口部の対向辺を内方側に折り曲げ器具本体の端部外面側に重合係止する折曲部を有するとともに、各折曲部の中間に形成され上記ランプ支持部材と接触するのを避けるための逃部である切欠部が形成された制光体と、この制光体側面の透孔を貫通して制光体をランプ支持部材に固定するねじとを具備したことを特徴とする。
【００１１】
上記請求項１に記載の作用を奏するほか、制光体の一側面に形成した透孔を通じ本体とねじ止めして両者を固定することができる。
【００１８】
本発明の請求項３に記載の照明器具は、器具本体に偏平なひし形をした複数個の線状部材用孔が形成されているとともにこれら線状部材用孔内を挿通してこの孔に係止されたワッシャおよびこのワッシャの中央孔内を挿通してこの孔に係止されたチップならびにこのチップ部の挿通孔内を挿通して係止されたワイヤーとからなる吊下具を有していることを特徴とする。
【００１９】
金属板などに穿設した線状部材用孔にワイヤーなどの線状部材を挿通した円筒状部を挿通させ、ワイヤーなどの線状部材が直接に線状部材用孔の周壁に当接することがなく、線状部材の損傷を防止することができる。
【００２０】
なお、本発明でいう線状部材とは、ワイヤーやチェーンあるいは給電線を形成するコードなど器具を吊下できるものを指す。また、照明器具支持用の吊下具は、１台の器具に１ないし複数個用いることができる。
【００２１】
【発明の実施の形態】
以下、本発明の実施の形態を天井面などに設置される照明器具Ｌを図１ないし図５を参照して説明する。図１はこの照明器具Ｌを斜め下方から見た分解斜視図、図２は器具本体にセードを取付ける過程を示す説明図、図３は照明器具Ｌの一方の端部の固定手段を示す斜視図、図４は吊下げ設置した照明器具Ｌを斜め下方から見た斜視図、図５（ａ）、（ｂ）は吊下具の動作を追って示す斜視図である。
【００２２】
これら図において１は長四角（矩形）形状をした金属製の枠外や板体からなる器具本体で、この器具本体１には、器具を天井面などに直接取付けるための円形や長小判形、だるま形などをした取付孔１１、…、長小判形やだるま形、偏平なひし形などをした線状部材用孔１２、…や給電線３１用の円形の挿通孔１３などが穿設されるとともに長手方向の両縁部には側壁１４、１４が形成してある。
【００２３】
また、２１はこの器具本体１の内面側（図で下面側）の一端部に設けられた略Ｚ字状に屈曲した取付金具で、この金具２１にはソケット３２が取着されているとともに最外板部の中央にねじ孔（図示しない。）が穿設され、これらで一方のランプ支持部材２Ａを構成している。また、２２は器具本体１の他端寄りに設けられた略コ字状をなす取付金具である。また、この器具本体１の内面側には端子台３３および安定器などを有する点灯回路装置３４が設けられこれらの間は図示しない配電線で接続されている。
【００２４】
また、４は器具本体１の内面側のほぼ全面を覆うよう設けられた反射板で上記取付金具２１、２２にねじ２３、２３を介し固定されている。
【００２５】
また、５はＦＨＰ１０５ＥＮ形の蛍光ランプで、バルブ５１が平行した２本のガラス管を連結あるいはガラス管を屈曲して形成され一端部に口金５２が設けられた片口金形のランプである。このランプ５は口金５２が取付金具２１に取着したソケット３２に接続固定されるとともに、バルブ５１の先端側が反射板に設けられ弾性を付与した略Ｕ字状をなす他方のランプ支持部材２Ｂに嵌入して挟圧支持されている。
【００２６】
また、６は制光体、ここではセードで、アクリル、スチロールや塩化ビニルなどの乳白色をした合成樹脂製の長手方向と直交する断面が湾曲した透光性の光放射面６１と、この光放射面６１の長手方向の両端部に対向して設けられた金属製の側板６５、６５とが一体的に固定されて上方側が開口した容器状をなしていて、器具本体１の内面側の全面を覆っている。さらに、詳述するとこのセード６は、湾曲した光放射面６１の縁部６２は互いに内方に折曲げられていて、この折曲げられた上面に上記器具本体１の側壁１４の先端部が当接している。また、両端部の側板６５、６５の外周はこの光放射面６１の内周に沿うよう形成され、さらにこの側板６５、６５の上辺部は内方に折り曲げた折曲部６６を備えているとともに少なくとも一方の側板６５の中央上部には透孔６８が穿設されている。
【００２７】
そして、このセード６は、各側板６５、６５の上部の折曲部６６、６６が器具本体１両端部の上面側に重合載置して係止することにより、器具本体１に支持されている。また、一方の側板６５の透孔６８と取付金具２１の最外板部のねじ孔（図示しない。）とを通じ化粧ねじ６９が螺装され、セード６が器具本体１に強固に固定され振動や衝撃によりセード６の落下の虞のない照明器具Ｌを提供することができる。なお、上記各側板６５上部の折曲部６６の中間に形成した切欠部６７は、折曲部６６が器具本体１に設けたランプ支持部材２Ａと接触するのを避けるため形成した逃部である。
【００２８】
この照明器具Ｌを天井面などに直接設置するには、器具本体１に形成した取付孔１１、…にねじやボルトを挿通して本体１を固定させることができる。そして、この照明器具Ｌにおいて器具Ｌの設置時やランプ５の交換の際などにセード６の取付けは、図２に示すように透孔６８を設けていない側の側板６５上部の折曲部６６の先端を器具本体１の一方の端部の上面側に合わせ、セード６をほぼ水平に支持した状態で本体１の他方側へと移動させる。この移動によって一方の折曲部６６は本体１の一方の端部の上面側に重合した状態にある。そして、いっぱいに移動した後、他方側の折曲部６６を本体１の他方側の端部の上面側に合わせ、セード６を一方側へと移動させる。（なお、矢印ＡＢＣは過程を順を追って示したものである。）
この移動によって器具本体１の長手方向の両端部の上面には、セード６両端部の側板６５、６５に形成した折曲部６６、６６が重なり載置される。そして、この状態で図３に示すように一方の側板６５の透孔６８と取付金具２１の最外板部のねじ孔（図示しない。）とを通じ化粧ねじ６９を螺装すれば、セード６は器具本体１に確実に固定され一体化した照明器具Ｌが得られる。なお、セード６両端部の側板６５、６５が器具本体１の両端部の上面に確実に係止されていれば、上記ねじ６９による固定は必須のものではない。
【００２９】
また、この照明器具Ｌを天井面などからワイヤーやチェーンなどの吊下用線状部材７４、…を用いた吊下具で設置するには、図１の上方側に示す天井面７１などに設置した一対のべ一ス７２に略Ｖ字状をなす吊下金具７３を固定し、この吊下金具７３から垂下し途中においてたとえば２分割した前後左右計４本のワイヤー７４、…を器具本体１に形成した線状部材用孔１２、…に通しワイヤー７４の先端側を線状部材用孔１２、…の下面側に係止することによって器具本体１をほぼ水平に支持させることができる。なお、図中７５は化粧カバー部材である。
【００３０】
そして、上述した天井面などに直接設置するのと同様に、セード６の一端側の折曲部６６を器具本体１の一方の端部の上面側に合わ、セード６を他方側に移動してセード６両端の折曲部６６、６６を本体１両端の上面に重さね載置させることにより行うことができ、その完成品を図４に示す。
【００３１】
なお、天井面７１などからワイヤーなど吊下用線状部材７４、…を用い照明器具を吊下させる場合に、器具本体１への係止は図５（ａ）、（ｂ）に示すような構成の吊下具８であると吊り下げワイヤー７４などの切断事故を防ぐことができる。この図５（ａ）は吊下具８が線状部材用孔１２に入る前の状態を示す斜視図、同（ｂ）は吊下具８が線状部材用孔１２を通過した後の状態を示す斜視図である。
【００３２】
この吊下方式の照明器具の場合、ワイヤー７４などが直接に金属板などからなる線状部材用孔１２、…の周壁に当接していると、長い間に揺動などによりワイヤー７４、…が徐々に磨耗損傷して、まれに切断してしまうことがあるが、これを防止することができる。
【００３３】
すなわち、図５においては吊下具８は、ワイヤーやチェーンここではワイヤー７４で、各ワイヤー７４、…には中央に孔８２を形成した板状ここでは円板状のワッシャ８１が遊嵌されているとともにその先端はチップ８３に結束などの手段で止めてある。このチップ８３はたとえばワイヤー７４が挿通される円筒状部８４とこの円筒状部８４に連設したこの円筒状部８４外径より小さい肉厚と大きい外径を有するコイン状部（孔の有無は問はない。）８５よりなる。また、ワッシヤ８１中央の孔８２径は、チップ８３の円筒状部８４の外径より大きいがコイン状部８５の外径より小さく形成されている。
【００３４】
一方、このワイヤー７４、…を係止する上記器具本体１に形成した線状部材用孔１２、…は、長円形とひし形を半分（一辺）ずつや直線形とひし形を半分（一辺）ずつあるいは両辺ともひし形とした組合わせで引き延ばした中央が幅広く端部に向かうにしたがい幅狭の細長い形状をしていて、円盤状のワッシャ８１が特定の垂直状態にある場合のみ通過が可能となっている。そして、上記名ワイヤー７４、…を挿通したワッシャ８１およびチップ８３は図５（ａ）に示す状態で線状部材用孔１２のほぼ中央を通過させる。
【００３５】
そして、ワッシャ８１およびチップ８３が線状部材用孔１２のを通過したら、ワイヤー７４を逆方向に引っ張ると(荷重が加わると)チップ８３が引っ張られ、ついでワッシャ８１も引っ張られる。すると図５(ｂ)に示すように垂直であったワッシャ８１が水平になり大部分が器具本体１の線状部材用孔１２付近に当接するとともにチップ８３の円筒状部８４は中央の孔８２を通過するが大径のコイン状部８５がワッシャ８１中央の孔８２の下周面に引っ掛かる。
【００３６】
したがって、器具本体１は前後左右計４か所でワイヤー７４、…により所定高さの位置に（各ワイヤー７４、…の長さは予め設定しておくことはいうまでもない。）吊り下げられるとともに、線状部材用孔１２、…の周壁にはチップ８３の円筒状部８４が当接して、各ワイヤー７４、…が直接に線状部材用孔１２、…の周壁に当接することがなくワイヤー７４、…の断線を防止して、最悪な照明器具Ｌの落下の虞がない。また、線状部材用孔１２、…にひし形の山状部分を形成したことにより、左右のワイヤー７４、７４の位置が決め易く安定した吊り下げが可能となる。
【００３７】
また、この種照明器具においては器具設置時やランプ交換時にセードなどの制光体を取外しておいて作業するが、そこに外したセードなど置く場所があればよいが、高所の場合には外したセードなどを地上にまで降ろすことが必要で、これがまた労力を要し作業性を低下させる一因で有った。また、セードなどを不用意に高所に置き落下した場合には、セードなどの破損のほか人命にも危険が及ぶことがある。
【００３８】
この対策として、器具本体から外したセードを紐や細いチェーンなどで器具本体と連結しておき、セードを作業中は本体から隔し吊しておくことのできる照明器具が実用化されている。
【００３９】
しかし、従来のものではセードの落下防止はできるが、器具本体と連結する紐やチェーンなどが長くその一部がセードなどの内面に接触するまで垂れ下がり、光放射面に陰影を生じるなどして外観の低下を招くことがあった。これは特に湾曲形状をしているセードなどにおいて、高さが低くなっている場所において顕著であった。
【００４０】
これは紐やチェーンなどが器具本体の取付部から垂直に下がった最短距離の位置においてセードと連結されているためで、器具本体からセードを外したときにある程度の間隔がないと作業ができないためこの離間距離分、紐やチェーンなどが長くなっていることに起因している。
【００４１】
この紐やチェーンなどの長さを短くしても器具本体とセードとの離間距離を確保できたりあるいは同じ長さでも紐やチェーンなどがセードなどの内面に接触をしない手段としては図６〜９に示す構成が適する。また、セードなど制光体の連結箇所は光放射の少ない縁部や端部が適し、紐やチェーンなどは一端部あるいは両端部の１〜２か所に設ければよく、また、紐やチェーンなどの先端は鉤状をなし容易に着脱できるものであってもよい。
【００４２】
図６は、器具本体１にセード６を取り付ける前の状態の斜視図で、ランプ支持部材２Ａ、２Ｂにそれぞれ紐９を係止する突起９１を備えている。また、セード６側の端縁部には紐９が結束してあり、紐９先端の鉤部９２を突起９１に係止すれば容易に外れることがない。図７はこの図６に示す照明器具の、両者を紐９を介し連結した後の一端部側の概略を示す外観図で、セード６内部は点線により示してある。
【００４３】
また、図８および図９は他の照明器具の一端部の概略を示す外観図で、図８は、器具本体１に穿設した孔１５とセード６の光放射面６１の端縁部とに紐９の端部を接続している。さらに、図９は、器具本体１に穿設した孔１５とセード６の側板６５の中央上部とに紐９の端部を接続している。また、上記孔１５は、図示するように長孔として紐９を結束したこま９３が孔１５内を移動できれば、両者のを繋ぐ紐９を余裕をもった長さとすることができる。また、孔１５の端部などに大径部を設け上記こま９３の着脱を可能とすれば作業性が向上できる。
【００４４】
そして、これら図６〜図９に示す照明器具は、通常、紐９が器具本体１とセード６との間を斜行した状態で弛んでもセード６の内面にまで達せず、光放射面に陰影を生じるなどのことがなく、外観の低下がない。また、器具本体１からセード６を外した際、セード６は紐９により器具本体１から吊り下げられるが、紐９の接続部が垂直位置関係にないので、セード６は器具本体１に対して真下になく偏位したずれた位置で、ランプ５の交換なども容易に行える利点がある。
【００４５】
なお、本発明は上記実施の形態に記載したものに限らない。たとえば上記実施の形態では、セードを合成樹脂からなる光放射面と両側の側板とにより構成したが、これに限らず図１０にその一部を切欠した断面図で示すように、セード６全体を合成樹脂などで成形し、器具本体１との係止部をなす短辺側を内方にほぼ水平に折り曲げて折曲部６６、６６を一体形成したものでも差支えない。この場合は両側の側板を別に製作する必要がなく、部品点数を低減できる。
【００４６】
また、上記実施の形態では、一端に口金を備えた１本の片口金形の蛍光ランプを器具内に配設したものについて述べたが、内部に配設する片口金形の蛍光ランプは２本以上の複数本であってもよい。
【００４７】
また、制光体側に形成した折曲部の中間に設けたランプ支持部材との接触を避ける切欠部は、ランプが複数本の場合は複数箇所に設けてもよい。
【００４８】
さらに、照明器具（制光体や器具本体）の外観形状も実施の形態のものに限らず、内部に配設するランプの種類、形状や本数に応じて種々変形しても差支えない。
【００４９】
さらにまた、照明器具は天井面や梁などに水平に設置され下方に制光体が向いて光放射されるものに限らず、壁面や柱などに垂直に設置されて横方向に光放射する照明器具にも適用できるものである。
【００５０】
【発明の効果】
請求項１に記載の発明によれば、器具本体の両端部の上面に制光体の折曲部を重合載置して係止させればよいとともに側板などの折曲部間に形成した切欠部が両端にあるのでランプ支持部材の配設側位置に関係なく取り付けられるなど構造が簡単で器具本体に対する制光体の取付けが容易であり、作業性およびコスト的にも優れた照明器具を提供することができる。また、側板の両端に形成した切欠部は、折曲部とランプ支持部材などとが接触するのを防ぐことができる利点を有する。
また、合成樹脂などで製作した制光体においては、対向する開口部の先端部を加熱などにより折曲げ加工して折曲部を形成することが容易に行える。そして、この折曲部を係止用として使えば、別体の折曲部が不要となり、コストの低減がはかれる。また、制光体は使用目的に合わせグローブやセードなど種々の制光体が容易に得られる。
【００５１】
請求項２に記載の発明によれば、上記請求項１に記載した効果のほか、器具本体および制光体を一端側において固定するようにしたので、両者は強固に一体化され振動や衝撃に対しての信頼性の向上した照明器具を提供することができる。
【００５４】
請求項３に記載の発明によれば、照明器具を吊下しているワイヤーなどの線状部材が損傷して断線することがなく、最悪な照明器具の落下の虞がない。また、線状部材用孔にひじ形の山状部を形成したことにより、左右の線状部材の位置が決め易く安定した吊下げが可能となる。
【図面の簡単な説明】
【図１】本発明の実施の形態を示す、照明器具を斜め下方から見た分解斜視図である。
【図２】器具本体にセードを取付ける過程を示す説明図である。
【図３】照明器具の一方の端部の固定手段を示す斜視図である。
【図４】吊下げ設置した照明器具を斜め下方から見た斜視図である。
【図５】（ａ）図および（ｂ）図は吊下具の動作を追って示す斜視図である。
【図６】器具本体にセードを取り付ける前の状態を示す斜視図である。
【図７】図６に示す他の照明器具の一端部側の概略を示す外観図である。
【図８】他の照明器具の、一端部側の概略を示す外観図である。
【図９】他の照明器具の、一端部側の概略を示す外観図である。
【図１０】本発明の実施の形態を示す、他の照明器具の一部切欠断面正面図である。
【図１１】従来の照明器具を示す一部切欠断面正面図である。
【図１２】従来の他の照明器具を示す一部切欠断面正面図である。
【符号の説明】
Ｌ：照明器具
１：器具本体
１２：線状部材用孔
２Ａ、２Ｂ：ランプ支持部材
５：蛍光ランプ
６：制光体（セード）
６１：透光面
６５：側板
６６：折曲部
６７：切欠部
６８：透孔
６９：ねじ
７４：線状部材（ワイヤー、チェーン）
８：吊下具
８１：ワッシャ
８３：チップ
【図１】
0004051809.tif 000002
【図２】
0004051809.tif 000003
【図３】
0004051809.tif 000004
【図４】
0004051809.tif 000005
【図５】
0004051809.tif 000006
【図６】
0004051809.tif 000007
【図７】
0004051809.tif 000008
【図８】
0004051809.tif 000009
【図９】
0004051809.tif 000010
【図１０】
0004051809.tif 000011
【図１１】
0004051809.tif 000012
【図１２】
0004051809.tif 000013